(57)【要約】【課題】床暖房システムを利用して熱中症を適切に予防できる熱中症予防システムを提供すること。【解決手段】夏場に使用されない床暖房システム２を利用して熱中症を予防する熱中症予防システム１であって、リビング６の壁面に固定された床暖房リモコン２５の室温センサ２５５によりリビング６にいる人Ｈの周囲温度を検出し、制御基板２３１は、室温センサ２５５により検出された室温が、熱中症予防の指針となる第１指針温度（例えば３５℃）以上になった場合に、エアコン３に冷房運転させる。【選択図】図３
2018071927.tif 000002
【特許請求の範囲】
【請求項１】
屋内設備を利用して熱中症を予防する熱中症予防システムにおいて、
前記屋内設備は、床暖房システムであること、
前記床暖房システムは、部屋の室温を検出する室温センサを有する床暖房リモコンと、前記部屋の床下に設置される放熱器と、前記放熱器に供給する熱を発生する熱源機と、前記室温センサが検出した室温と前記床暖房リモコンに設定された設定温度に基づいて前記熱源機から前記放熱器への熱供給を制御するコントローラとを有し、前記床暖房リモコンが前記部屋の壁面に固定されていること、
前記コントローラは、
前記部屋に設置された空調機に通信可能に接続されており、
前記室温センサにより検出された室温が、熱中症予防の指針となる第１指針温度以上になった場合に、前記空調機に冷房運転させる熱中症予防手段を有すること、
を特徴とする熱中症予防システム。
【請求項２】
請求項１に記載する熱中症予防システムにおいて、
前記熱源機は、外気温を検出する外気温センサを有すること、
前記熱中症予防手段は、前記外気温センサにより検出された外気温が所定の閾値を超える場合には、前記床暖房システムに熱中症予防を行わせる夏期運転モードに自動的に切り替え、前記外気温センサにより検出された外気温が前記所定の閾値を超えない場合には、前記床暖房システムに床暖房を行わせる冬期運転モードに自動的に切り替えるモード切替手段を有すること、
を特徴とする熱中症予防システム。
【請求項３】
請求項１又は請求項２に記載する熱中症予防システムにおいて、
前記熱中症予防手段は、前記室温センサにより検出された室温が前記第１指針温度以上になった場合に、熱中症の警戒を喚起する警戒喚起手段を有すること、
を特徴とする熱中症予防システム。
【請求項４】
請求項３に記載する熱中症予防システムにおいて、
前記熱中症予防手段は、前記室温センサにより検出された室温が、前記第１指針温度未満であって熱中症予防の指針となる第２指針温度以上になった場合に、熱中症の注意を喚起する注意喚起手段を有すること、
を特徴とする熱中症予防システム。
【請求項５】
請求項２に記載する熱中症予防システムにおいて、
前記冬期運転モードは、前記室温センサにより検出された室温が自動運転閾値温度以下である場合に、前記床暖房システムを自動的に暖房運転すること、
を特徴とする熱中症予防システム。
【発明の詳細な説明】
【技術分野】
【０００１】
本発明は、熱中症を予防する熱中症予防システムに関する。
【背景技術】
【０００２】
近年、夏場の熱中症が増加している。熱中症が重症化すると、命に関わるため、熱中症を予防する方法が色々提案されている。熱中症の約３割は屋内で起きていると言われ、例えば特許文献１には、熱中症予防機能を有する警報機が開示されている。
【０００３】
特許文献１記載の警報機は、ガス検出部の検出結果に基づいてガス漏れなどを報知するものである。この警報機は、室内の温度を検出する温度検出部を備え、温度検出部が熱中症発症の危険度の指針となる温度（以下「指針温度」ともいう。）を検出した場合に、ランプや音声により熱中症予防に関する報知を行う。
【先行技術文献】
【特許文献】
【０００４】
【特許文献１】特開２０１５−１９５０１７号公報
【発明の概要】
【発明が解決しようとする課題】
【０００５】
しかしながら、特許文献１記載の警報機は、空気より軽いガスをガス検出部に検出させるために天井付近に設置されており、熱中症予防を誤報知することがあった。具体的に説明すると、ガスの警報機は、例えばキッチンの天井付近に取り付けられる。キッチンでは、ガスを使って調理すると、温かく湿った空気が人から離れた天井付近に集まる。この場合、キッチンにいる人の周囲温度が指針温度未満でも、警報機の温度検出部により検出される温度が指針温度を超えると、警報機が誤って熱中症予防に関する報知をしてしまっていた。また、屋内では、例えば、うたた寝していると、自覚症状なしで熱中症を発症することがある。このような人は、警報機の報知が聞こえても、体を自由に動かして冷房や給水を行うことができず、熱中症を重症化させる恐れがある。よって、特許文献１記載の警報機は、熱中症を適切に予防することができなかった。
【０００６】
ところで、近年、居室に床暖房システムを設置する家が増えている。床暖房システムは、床下に設置された床暖房パネルに熱源機から暖房用温水を循環して放熱させることにより、部屋を暖めるものである。床暖房システムは、従来、冬場しか利用されず、夏場に利用されていなかった。
【０００７】
本発明は、上記問題点を解決するためになされたものであり、床暖房システムを利用して熱中症を適切に予防できる熱中症予防システムを提供することを目的とする。
【課題を解決するための手段】
【０００８】
本発明の一態様は、次のような構成を有している。
（１）屋内設備を利用して熱中症を予防する熱中症予防システムにおいて、前記屋内設備は、床暖房システムであること、前記床暖房システムは、部屋の室温を検出する室温センサを有する床暖房リモコンと、前記部屋の床下に設置される放熱器と、前記放熱器に供給する熱を発生する熱源機と、前記室温センサが検出した室温と前記床暖房リモコンに設定された設定温度に基づいて前記熱源機から前記放熱器への熱供給を制御するコントローラとを有し、前記床暖房リモコンが前記部屋の壁面に固定されていること、前記コントローラは、前記部屋に設置された空調機に通信可能に接続されており、前記室温センサにより検出された室温が、熱中症予防の指針となる第１指針温度以上になった場合に、前記空調機に冷房運転させる熱中症予防手段を有すること、を特徴とする。
【０００９】
この構成では、床暖房システムは、床暖房リモコンが室温センサを有するため、床暖房を運転しない夏場でも部屋の室温を検出できる。床暖房リモコンは、一般的に、利用者が操作しやすい高さで部屋の壁面に固定される。そのため、床暖房リモコンの室温センサは、部屋にいる人と同じような高さに常時配置され、部屋にいる人の周囲温度を安定して検出する。よって、上記構成によれば、室温センサが部屋にいる人の周囲温度より高い温度を検出しないので、コントローラは、人の周囲温度が第１指針温度以上になったことを床暖房リモコンにより的確に検知し、空調機に冷房運転を無駄にさせない。また、部屋にいる人は、例えば、うたた寝して気付かない間に周囲温度が第１指針温度以上に上昇しても、空調機の冷房運転により周囲温度が自動的に下げられるので、自覚症状なしで熱中症を重症化させることを回避できる。更に、これまで冬場だけ使用されていた床暖房システムを、夏場には熱中症の予防に利用することで、一年を通じて床暖房システムを利用できるようになる。
【００１０】
（２）（１）に記載の構成において、前記熱源機は、外気温を検出する外気温センサを有すること、前記熱中症予防手段は、前記外気温センサにより検出された外気温が所定の閾値を超える場合には、前記床暖房システムに熱中症予防を行わせる夏期運転モードに自動的に切り替え、前記外気温センサにより検出された外気温が前記所定の閾値を超えない場合には、前記床暖房システムに床暖房を行わせる冬期運転モードに自動的に切り替えるモード切替手段を有すること、が好ましい。
【００１１】
この構成では、熱源機の外気温センサが検出した外気温を所定の閾値と比較することで、夏期運転モードと冬期運転モードとを自動的に切り替えるので、夏期運転モードを設定し忘れることがない。よって、上記構成によれば、夏場に熱中症を適切に予防できる。
【００１２】
（３）（１）又は（２）に記載の構成において、前記熱中症予防手段は、前記室温センサにより検出された室温が前記第１指針温度以上になった場合に、熱中症の警戒を喚起する警戒喚起手段を有すること、が好ましい。尚、熱中症の警戒を喚起する方法は、音声でも表示でも、それら両方でも良い。
【００１３】
この構成では、熱中症になる危険が高いことを部屋にいる人に知らせ、熱中症を発症したり重症化させたりすることを防止できる。
【００１４】
（４）（３）に記載の構成において、前記熱中症予防手段は、前記室温センサにより検出された室温が、前記第１指針温度未満であって熱中症予防の指針となる第２指針温度以上になった場合に、熱中症の注意を喚起する注意喚起手段を有すること、が好ましい。尚、熱中症の注意を喚起する方法は、音声でも表示でも、それら両方でも良い。
【００１５】
この構成によれば、熱中症の危険が警戒レベルに達する前に、熱中症対策を促すことができる。例えば、高齢者や幼児は、体内に水分を保つ機能が低いため、熱中症になりやすいが、熱中症の注意を早い段階で喚起することにより、熱中症を予防若しくは軽症にすることができる。
【００１６】
（５）（２）に記載の構成において、前記冬期運転モードは、前記室温センサにより検出された室温が自動運転閾値温度以下である場合に、前記床暖房システムを自動的に暖房運転すること、が好ましい。
【００１７】
この構成によれば、室温が自動運転閾値温度以下の低温である場合に、床暖房リモコンが操作されなくても、床暖房システムを自動的に暖房運転して部屋を暖めるので、床暖房の立ち上がり時間を短縮したり、ヒートショックを緩和したりすることができる。
【発明の効果】
【００１８】
従って、本発明によれば、床暖房システムを利用して熱中症を適切に予防できる熱中症予防システムを提供することができる。
【図面の簡単な説明】
【００１９】
【図１】本発明の実施形態に係る熱中症予防システムのブロック図である。
【図２】床暖房運転プログラムのフローチャートである。
【図３】図２に示す夏期運転モードの処理のフローチャートである。
【図４】熱中症予防システムの設置例を示す図である。
【図５】床暖房リモコンの一例を示す正面図である。
【図６】給湯リモコンの一例を示す正面図である。
【発明を実施するための形態】
【００２０】
以下に、本発明に係る熱中症予防システムの実施形態について図面に基づいて説明する。
【００２１】
＜熱中症予防システムの設置例＞
図４は、熱中症予防システム１の設置例を示す図である。熱中症予防システム１は、床暖房システム２とエアコン３（空調機の一例）を連携させて、部屋にいる人が熱中症を発症することを予防するものである。本実施形態の熱中症予防システム１は、家族が集まったり、人が長時間居たりするリビング６に設置される。
【００２２】
例えば、リビング６は、ダイニング７及びキッチン８と一つになっている。リビング６は、エアコン３が壁面に取り付けられ、室内の空気の温度や湿度などが調整される。
【００２３】
床暖房システム２は、リビング６とダイニング７とキッチン８の床９の下に、床暖房パネル２１（放熱器の一例）が敷設されている。床暖房パネル２１は、温水配管２２を介して、屋外に設置される熱源機２３に接続され、熱源機２３から供給される暖房用温水の熱を放熱してリビング６等を暖める。床暖房リモコン２５は、熱源機２３の制御基板２３１に接続されている。制御基板２３１は、床暖房リモコン２５の室温センサ２５５により検出される室温と、床暖房リモコン２５に設定された設定温度に基づいて、熱源機２３から床暖房パネル２１への熱供給（暖房用温水の温度や温水の供給量など）を制御する。床暖房リモコン２５は、人が移動する動線上の壁面に対して、人が操作しやすい高さで固定されている。本実施形態では、例えば、床暖房リモコン２５は、出入口の横に設けられた照明スイッチ１０の隣に、子供でも操作できる高さ（例えば床９から１００ｃｍ〜１３０ｃｍの高さ）で取り付けられている。
【００２４】
尚、熱源機２３は、キッチン８の蛇口や図示しないお風呂の蛇口などに接続され、給湯水の加熱も行う。熱源機２３の制御基板２３１に台所リモコン２６が接続され、給湯温度などが設定されるようになっている。台所リモコン２６は、操作しやすい高さで壁面に取り付けられている。本実施形態では、例えば、台所リモコン２６は、シンクの横の壁面に、主婦の目線の高さで取り付けられている。
【００２５】
＜床暖房リモコンの一例＞
図５は、床暖房リモコン２５の一例を示す正面図である。床暖房リモコン２５の本体２５１には、運転スイッチ２５２ａ、温度調整スイッチ２５２ｂ、タイマー設定スイッチ２５２ｃなどが設けられている（以下、これらの入力スイッチを総称して「入力部２５２」ともいう）。本体２５１には、液晶表示部２５３が設けられ、床暖房システム２の設定内容（室温設定バー、時計、床暖房入時間、床暖房切時間など）を使用者が視認できるようになっている。本体２５１の運転スイッチ２５２ａの横にＬＥＤランプ２５４が設けられている。ＬＥＤランプ２５４は、例えば緑色と赤色の２色で発光するものである。床暖房システム２が床暖房する場合には、ＬＥＤランプ２５４は初期赤色で点灯し、その後緑色で連続点灯する。床暖房システム２が床暖房せずに待機している場合には、ＬＥＤランプ２５４は消灯している。運転スイッチ２５２ａ横のＬＥＤランプ２５４は、床暖房リモコン２５から離れた位置でも点灯状態を確認し易い位置・大きさで設けられている。本体２５１には、室温センサ２５５が内設されている。
【００２６】
＜給湯リモコンの一例＞
図６は、台所リモコン２６の一例を示す正面図である。台所リモコン２６の本体２６１には、運転スイッチ２６２ａや、給湯温度や湯張り時間などの設定内容を設定する設定スイッチ２６２ｂなどが設けられている（以下、これらの入力スイッチを総称して「入力部２６２」ともいう）。本体２６１には、液晶表示部２６３が設けられ、熱源機２３の設定内容を視認できるようになっている。本体２６１には、スピーカ２６４が設けられ、設定内容に関する音声や、高温給湯を知らせる音声などが流れるようになっている。
【００２７】
＜熱中症予防システムのブロック構成＞
図１は、本発明の実施形態に係る熱中症予防システム１のブロック図である。熱中症予防システム１は、床暖房リモコン２５と台所リモコン２６が熱源機２３の中にある制御基板２３１に有線で接続されている。床暖房リモコン２５とエアコン３は、制御コントローラ２４を介して有線又は無線で接続され、信号を送受信できるようになっている。
【００２８】
床暖房リモコン２５は、通信部２５６と制御部２５７と記憶部２５８等を備える。通信部２５６は、制御基板２３１の通信部２３１１に通信可能に接続されている。制御部２５７は、入力部２５２と液晶表示部２５３とＬＥＤランプ２５４と室温センサ２５５と通信部２５６と記憶部２５８に接続されている。制御部２５７は、入力部２５２の入力に応じて液晶表示部２５３やＬＥＤランプ２５４の表示を制御する。また、制御部２５７は、室温センサ２５５が検出した室温や、入力部２５２を操作して設定された設定内容を、通信部２５６を介して制御基板２３１に送信する。更に、制御部２５７は、入力部２５２を介して設定された設定内容などを記憶部２５８に記憶させたり、記憶部２５８から読み出したりする。
【００２９】
台所リモコン２６は、通信部２６６と制御部２６７と記憶部２６８等を備える。通信部２６６は、制御基板２３１の通信部２３１１に通信可能に接続されている。制御部２６７は、入力部２６２の入力に応じて液晶表示部２６３の表示や、スピーカ２６４から発生する音声を制御する。また、制御部２６７は、入力部２６２を介して設定された設定内容などを記憶部２６８に記憶させたり、記憶部２６８から読み出したりする。
【００３０】
熱源機２３は、制御基板２３１と外気温センサ２３３等を備える。制御基板２３１は、通信部２３１１と制御部２３１２と記憶部２３１３等を備える。制御部２３１２は、通信部２３１１を制御して床暖房リモコン２５又は台所リモコン２６から受信した制御信号に基づいて熱源機２３の動作を制御する。記憶部２３１３には、床暖房システム２の運転を制御する床暖房運転プログラム２３１４（熱中症予防手段、モード切り替え手段、警戒喚起手段、注意喚起手段の一例）が記憶されている。制御部２３１２は、床暖房運転プログラム２３１４を実行することにより、室温センサ２５５が検出した室温又は外気温センサ２３３が検出した外気温に基づいて床暖房システム２やエアコン３の動作を制御する。床暖房運転プログラム２３１４の詳細については後述する。
【００３１】
制御コントローラ２４は、通信部２４１と制御部２４２等を備える。通信部２４１は、床暖房リモコン２５の通信部２５６とエアコン３の通信部３２に通信可能に接続されている。制御部２４２は、床暖房リモコン２５を介して制御基板２３１からエアコン制御信号を受信すると、それに基づいてエアコン３の動作を制御する動作制御信号を送信する。
【００３２】
エアコン３は、制御部３１や通信部３２等を備える。制御部３１は、図示しない空調機リモコンから受信した信号に基づいてエアコン３の空調動作を制御するが、通信部３２を制御して制御コントローラ２４から受信した信号に基づいてエアコン３の動作を制御することもできる。つまり、エアコン３は、図示しない空調機リモコンが操作されない場合でも、冷房運転することがある。
【００３３】
＜熱中症予防システムの動作説明＞
図２は、床暖房運転プログラム２３１４のフローである。熱中症予防システム１は、制御基板２３１が床暖房運転プログラム２３１４を実行することにより、動作する。熱中症予防システム１は、外気温センサ２３３が検出する外気温に基づいて夏期運転モードと冬期運転モードを切り替え、夏期運転モードを実行するときには、室温センサ２５５が検出する室温に基づいて熱中症予防を行う。
【００３４】
＜モード切り替えについて＞
図２のステップ１（以下「Ｓ１」と略記する。）に示すように、制御基板２３１は、外気温センサ２３３が検出する外気温が１０℃（「所定の閾値」の一例）を超えているか否かを検知する。外気温により、床暖房が必要な季節と、床暖房が必要でない季節を判別するためである。外気温センサ２３３が検出する外気温が１０℃を超えない場合には（Ｓ１：ＮＯ）、制御基板２３１は、Ｓ２において、床暖房が必要な１１月〜３月（冬期）であると判断し、Ｓ３において、冬期運転モードを実行する。
【００３５】
冬期運転モードでは、Ｓ４〜Ｓ６に示すように、室温センサ２５５により検出される室温に基づいて、床暖房の運転モードが切り替えられる。すなわち、検出された室温が１０℃を超える場合には（Ｓ４：ＹＥＳ）、制御基板２３１は、Ｓ５において、手動運転モードを実行する。ここで、手動運転モードとは、利用者が床暖房リモコン２５を操作して床暖房システム２を運転する運転方法をいう。よって、利用者は、気温が１０℃を超えていた場合には、任意に床暖房することができる。一方、検出された室温が１０℃を超えない場合には（Ｓ４：ＮＯ）、制御基板２３１は、Ｓ６において、自動運転モードを実行する。ここで、自動運転モードとは、利用者が床暖房リモコン２５を操作しなくても、自動的に床暖房する運転方法をいう。よって、自動運転モード実行時には、利用者は、例えば外出先から帰宅すると、部屋が既に暖められており、床暖房を立ち上げる時間が短縮される。また、例えば床暖房システム２を洗面所や廊下に設置した場合には、床暖房の入れ忘れにより、入浴後のヒートショックや暖かい部屋から廊下に出たときのヒートショックを緩和することができる。なお、冬期運転モードでは、床暖房リモコン２５のＬＥＤランプ２５４が、消灯しており、床暖房が運転開始されると初期段階では赤色で連続点灯し、その後、緑色で連続点灯する。
【００３６】
これに対して、外気温センサ２３３が検出する外気温が１０℃を超える場合には（Ｓ１：ＹＥＳ）、制御基板２３１は、Ｓ７において、床暖房が必要でない４月〜１０月（夏期）であると判断し、Ｓ８において、夏期運転モードを実行する。尚、夏期運転モードでは、正常時、床暖房リモコン２５のＬＥＤランプ２５４が緑色で点滅するように、制御基板２３１が制御する。よって、人Ｈは、ＬＥＤランプ２５４が消灯しているか、緑色で点滅しているかの点灯方法により、冬期運転モードが設定されているか、夏期運転モードが設定されているかを認識できる。
【００３７】
＜夏期運転モード（熱中症予防）について＞
図３は、図２に示す夏期運転モードの処理（Ｓ８）のフローチャートである。制御基板２３１は、Ｓ１１に示すように、室温センサ２５５が検出する室温が３５℃以上であるか否かを判断する。熱中症を予防する指針としては、ＷＢＧＴ指針（暑さ指針）がある。ＷＢＧＴ指針は、温度、湿度、輻射などの数値から指標が作られている。本実施形態の床暖房システム２は、室温センサ２５５しか備えていないため、湿度や輻射などを検出できない。そこで、夏期運転モードの処理では、公益社団法人日本体育協会が公表する「運動に関する指針」に基づいて、熱中症予防の指針になる温度を設定する。「運動に関する指針」は、参考値の気温が３５℃以上の場合には、皮膚温より参考値の気温の方が高くなるので、運動は原則中止するという指針を示している。そこで、本実施形態では、熱中症を警戒して予防する指針になる第１指針温度を「室温３５℃」としている。
【００３８】
室温が３５℃以上でない場合には（Ｓ１１：ＮＯ）、制御基板２３１は、Ｓ１２において、室温センサ２５５が検出する室温が２８℃以上であるか否かを判断する。上述の「運動に関する指針」は、参考値の気温が２８℃以上３５℃未満の場合には、熱中症の危険が増すので、熱中症を警戒・厳重警戒する（積極的に休息する・熱負担の大きい運動を避ける）という指針を示している。そこで、本実施形態では、熱中症を注意して予防する指針になる第２指針温度を、「室温２８℃」としている。
【００３９】
室温センサ２５５により検出される室温が２８℃以上である場合（Ｓ１２：ＹＥＳ）、すなわち、室温が２８℃以上３５℃未満の場合には、熱中症の注意を喚起するために、制御基板２３１は、Ｓ１３において、床暖房リモコン２５のＬＥＤランプ２５４を緑色で点滅させる。つまり、制御基板２３１は、ＬＥＤランプ２５４が正常時と異なる点滅時間により緑色で点滅するための信号を床暖房リモコン２５に送信し、ＬＥＤランプ２５４を正常時の表示から熱中症注意喚起時の表示に変更させる。すると、例えば、リビング６にいる人Ｈは、ＬＥＤランプ２５４が緑色で点滅する間隔が正常時と違う（例えば短くなっている）のを見て、熱中症を発症する危険に気付き、水分補給したり、手動でエアコン３を冷房運転させたりする。これにより、人Ｈは、リビング６で熱中症になるのを予防できる。
【００４０】
また、制御基板２３１は、Ｓ１４において、熱中症の注意を喚起するために、台所リモコン２６の液晶表示部２６３に、「高温度注意」などの注意喚起メッセージを表示する。つまり、制御基板２３１は、台所リモコン２６の液晶表示部２６３に注意喚起メッセージを表示する信号を送信し、液晶表示部２６３を正常時の表示から非常時の表示に変更させる。すると、例えば、リビング６から離れた場所にいる人は、リビング６で熱中症を発症する危険があることに気付き、手動でエアコン３を冷房運転させたり、水分補給したりすることができる。また、例えば、キッチン８にいる人が、リビング６のソファＦでうたた寝している人Ｈを起こして水分補給させることができる。よって、屋内にいる人が熱中症になることを予防できる。
【００４１】
制御基板２３１は、Ｓ１５において、室温センサ２５５が検出する室温が２５℃以上であるか否かを判断する。上述の「運動に関する指針」は、参考値の気温が２４℃以上２８℃未満の場合には、熱中症による死亡事故が発生する可能性があるので、熱中症に注意する（熱中症の兆候に注意するとともに水を積極的に飲むようにする）という指針を示している。また、参考値の気温が２４℃未満の場合には、熱中症の危険性は小さいので、ほぼ安全という指針を示している。そこで、本実施形態では、熱中症の危険が少ない指針になる第３指針温度を、「室温２５℃」としている。
【００４２】
制御基板２３１は、室温センサ２５５が検出する室温が２５℃以上の場合には（Ｓ１５：ＹＥＳ）、Ｓ１３に戻り、引き続き、床暖房リモコン２５のＬＥＤランプ２５４を緑色で点滅させると共に、台所リモコン２６の液晶表示部２６３に表示を行わせ、熱中症への注意を喚起し続ける。
【００４３】
制御基板２３１は、例えば、人Ｈが手動でエアコン３を冷房運転させたことにより、室温センサ２５５が検出する室温が２５℃未満になった場合には（Ｓ１５：ＮＯ）、Ｓ１６において、熱中症への注意を喚起する動作を停止する。具体的には、制御基板２３１は、ＬＥＤランプ２５４を正常時の点滅時間により緑色で点滅させ、給湯温度などの通常表示を液晶表示部２６３に行わせる。つまり、床暖房リモコン２５と台所リモコン２６の表示が正常時に戻る。
【００４４】
これに対して、室温センサ２５５が検出する室温が３５℃以上である場合には（Ｓ１１：ＹＥＳ）、制御基板２３１は、Ｓ１７において、熱中症への警戒を喚起するために、床暖房リモコン２５のＬＥＤランプ２５４を赤色で点滅させる。つまり、制御基板２３１は、ＬＥＤランプ２５４が正常時及び熱中症注意喚起時と違う赤色で点滅するための信号を床暖房リモコン２５に送信し、ＬＥＤランプ２５４を正常時の表示から熱中症警戒喚起時の表示に変更させる。これにより、リビング６にいる人Ｈは、緑色で点滅しているはずのＬＥＤランプ２５４が赤色で点滅しているのを見て、熱中症を発症する危険が高いことを認識し、エアコン３を手動で冷房運転させたり、水分補給したりするなどして熱中症対策を行うことができる。
【００４５】
また、制御基板２３１は、Ｓ１８において、例えば、「高温度危険」などの警戒喚起メッセージを、台所リモコン２６の液晶表示部２６３に表示させる。つまり、制御基板２３１は、台所リモコン２６に液晶表示部２６３に警戒喚起メッセージを表示する信号を送信し、液晶表示部２６３を正常時の表示から緊急非常時の表示に変更させる。これにより、リビング６から離れた場所にいる人が、リビング６で熱中症を発症する危険が高いことに気付き、例えば、手動でエアコン３を冷房運転させたり、水分補給したりすることができる。また、例えば、キッチン８にいる人が、リビング６のソファＦでうたた寝している人Ｈを起こして水分補給させ、人Ｈが自覚症状のないまま熱中症を重症化させることを回避できる。
【００４６】
制御基板２３１は、Ｓ１９において、室温センサ２５５が検出する室温が２５℃以上であるか否かを判断する。室温が２５℃以上である場合には（Ｓ１９：ＹＥＳ）、熱中症を発症する危険が高いので、制御基板２３１は、Ｓ２０において、熱中症に警戒することを、台所リモコン２６のスピーカ２６４を介して音声で知らせる。例えば、制御基板２３１は、スピーカ２６４から警報音を鳴らしたり、「高温度危険」などの警報メッセージを音声で流したりするための信号を台所リモコン２６に送信し、スピーカ２６４から警報音や警報メッセージを発生させる。これにより、例えば、リビング６にいる人Ｈが、家族の留守中にエアコン３を使用せずにソファＦでうたた寝している場合でも、熱中症の危険が高いことに気付き、水分補給するなどの熱中症対策を講じることができる。
【００４７】
制御基板２３１は、Ｓ２１において、エアコン３を自動で冷房運転させると共に、音声を停止する。具体的には、制御基板２３１は、床暖房リモコン２５を介して制御コントローラ２４にエアコン３を冷房運転するための信号を送信し、エアコン３を冷房運転させる。これにより、人Ｈがエアコン３を操作しなくても、リビング６の室温が自動的に下げられる。また、制御基板２３１は、台所リモコン２６に音声停止信号を送信し、スピーカ２６４から発生する音声を停止させる。これにより、人Ｈに不快な音声が解消される。
【００４８】
制御基板２３１は、Ｓ２２において、エアコン３を３０分間運転したか否かを判断する。つまり、制御基板２３１は、床暖房リモコン２５と制御コントローラ２４を介してエアコン３による冷房運転を監視している。エアコン３を３０分間運転するまでは（Ｓ２２：ＮＯ）、Ｓ２１の処理を行い、リビング６の室温を下げる。
【００４９】
制御基板２３１は、エアコン３を３０分間運転したら（Ｓ２２：ＹＥＳ）、Ｓ１９において、室温センサ２５５により検出される室温が２５℃以上であるか否かを判断する。室温が２５℃以上である場合には、熱中症を発症する危険が高いので、Ｓ２０，Ｓ２１の処理を行う。例えば、制御基板２３１は、「高温度危険」の音声をスピーカ２６４から再度発生させ、エアコン３の冷房運転を自動的に継続する。このとき、音声は停止されている。エアコン３を更に３０分間運転したら（Ｓ２２：ＹＥＳ）、制御基板２３１は、Ｓ１９において、室温が２５℃以上であるか否かを再度判断する。
【００５０】
エアコン３は、室温が２５℃未満になるまで冷房運転が自動的に継続される。室温が２５℃未満になると（Ｓ１９：ＮＯ）、制御基板２３１は、Ｓ２３において、床暖房リモコン２５のＬＥＤランプ２５４による赤色の点滅表示や、台所リモコン２６の液晶表示部２６３による「高温度危険」のメッセージ表示を停止する。つまり、制御基板２３１は、熱中症警戒喚起時の表示を解除する信号を床暖房リモコン２５と台所リモコン２６に送信する。これにより、床暖房リモコン２５のＬＥＤランプ２５４は正常時の点灯状態に戻り、台所リモコン２６の液晶表示部２６３が正常時の表示に戻る。また、エアコン３の冷房運転も停止させる。つまり、制御基板２３１は、床暖房リモコン２５を介して制御コントローラ２４に冷房を停止させる信号を送信し、エアコン３を停止させる。これにより、人Ｈがエアコン３を操作しなくても、人Ｈの周囲温度が自動的に２５℃未満に下げられ、人Ｈが熱中症になることを予防できる。
【００５１】
＜まとめ＞
以上説明したように、本実施形態の熱中症予防システム１は、屋内設備を利用して熱中症を予防する熱中症予防システム１において、屋内設備は、リビング６（部屋の一例）の室温を検出する室温センサ２５５を有する床暖房リモコン２５と、リビング６の床下に設置される床暖房パネル２１と、床暖房パネル２１に供給する熱を発生する熱源機２３と、室温センサ２５５が検出した室温と床暖房リモコン２５に設定された設定温度に基づいて熱源機２３から床暖房パネル２１への熱供給を制御する制御基板２３１とを有し、床暖房リモコン２５がリビング６の壁面に固定されている床暖房システム２であること、制御基板２３１は、リビング６に設置されたエアコン３に通信可能に接続されており、室温センサ２５５により検出された室温が、熱中症予防の指針となる第１指針温度（３５℃）以上になった場合に、エアコン３に冷房運転させる床暖房運転プログラム２３１４（熱中症予防手段の一例、図３のＳ２１）を有すること、を特徴とする。
【００５２】
この構成では、床暖房システム２は、床暖房リモコン２５が室温センサ２５５を有するため、床暖房を運転しない夏場でもリビング６の室温を検出できる。床暖房リモコン２５は、一般的に、利用者が操作しやすい高さで部屋の壁面に固定される。そのため、床暖房リモコン２５の室温センサ２５５は、リビング６にいる人Ｈと同じような高さに常時配置され、リビング６にいる人Ｈの周囲温度を安定して検出する。よって、本実施形態によれば、室温センサ２５５がリビング６にいる人Ｈの周囲温度より高い温度を検出しないので、制御基板２３１は、人Ｈの周囲温度が第１指針温度（３５℃）以上になったことを床暖房リモコン２５により的確に検知し、エアコン３に冷房運転を無駄にさせない。また、リビング６にいる人Ｈは、例えば、うたた寝して気付かない間に周囲温度が第１指針温度（３５℃）以上に上昇しても、エアコン３の冷房運転により周囲温度が自動的に下げられるので、自覚症状なしで熱中症を重症化させることを回避できる。更に、これまで冬場だけ使用されていた床暖房システム２を、夏場には熱中症の予防に利用することで、一年を通じて床暖房システム２を利用できるようになる。
【００５３】
また、本実施形態の熱中症予防システム１は、熱源機２３は、外気温を検出する外気温センサ２３３を有すること、床暖房運転プログラム２３１４は、外気温センサ２３３により検出された外気温が所定の閾値（１０℃）を超える場合には、床暖房システム２に熱中症予防を行わせる夏期運転モードに自動的に切り替え、外気温センサ２３３により検出された外気温が所定の閾値（１０℃）未満である場合には、床暖房システム２に床暖房を行わせる冬期運転モードに自動的に切り替えるモード切替手段（図２のＳ１〜Ｓ３，Ｓ７，Ｓ８）を有すること、を特徴とする。
【００５４】
この構成では、熱源機２３の外気温センサ２３３が検出した外気温を所定の閾値（例えば１０℃）と比較することで、夏期運転モードと冬期運転モードとを自動的に切り替えるので、夏期運転モードを設定し忘れることがない。よって、本実施形態によれば、夏場に熱中症を適切に予防できる。
【００５５】
また、本実施形態の熱中症予防システム１では、床暖房運転プログラム２３１４は、室温センサ２５５により検出された室温が第１指針温度（例えば３５℃）以上になった場合に、熱中症の警戒を喚起する警戒喚起手段（図３のＳ１７，Ｓ１８）を有すること、を特徴とする。
【００５６】
この構成によれば、リビング６で熱中症になる危険が高いことを屋内にいる人に知らせ、熱中症を発症したり重症化させたりすることを防止できる。
【００５７】
また、本実施形態の熱中症予防システム１では、床暖房運転プログラム２３１４は、室温センサ２５５により検出された室温が、第１指針温度（例えば３５℃）未満であって熱中症予防の指針となる第２指針温度（例えば２８℃）以上になった場合に、熱中症の注意を喚起する注意喚起手段（図３のＳ１１：ＮＯ、Ｓ１２：ＹＥＳ、Ｓ１３、Ｓ１４）を有すること、を特徴とする。
【００５８】
この構成によれば、熱中症の危険が警戒レベルに達する前に、熱中症対策を促すことができる。例えば、高齢者や幼児は、体内に水分を保つ機能が低いため、熱中症になりやすいが、熱中症の注意を早い段階で喚起することにより、熱中症を予防若しくは軽症にすることができる。
【００５９】
また、本実施形態の熱中症予防システム１では、冬期運転モードは、室温センサ２５５により検出された室温が自動運転閾値温度（例えば１０℃）未満である場合に、床暖房システム２を自動的に暖房運転すること（図２のＳ４：ＮＯ、Ｓ６）、が好ましい。
【００６０】
この構成によれば、室温が自動運転閾値温度（例えば１０℃）未満の低温である場合に、床暖房リモコン２５が操作されなくても、床暖房システム２を自動的に暖房運転してリビング６を暖めるので、床暖房の立ち上がり時間を短縮したり、ヒートショックを緩和したりすることができる。
【００６１】
よって、本実施形態によれば、床暖房システム２を利用して熱中症を適切に予防できる熱中症予防システム１を提供することができる。
【００６２】
尚、本発明は、上記実施形態に限定されることなく、色々な応用が可能である。
【００６３】
（１）例えば、熱中症予防システム１は、寝室や子供部屋など、リビング６以外の部屋に設置された床暖房システム２と連携させても良い。この場合も、床暖房リモコン２５が、床暖房パネル２１が敷設される部屋毎に取り付けられるので、上記実施形態と同様にして熱中症予防を行うことができる。
【００６４】
（２）例えば、熱源機２３と制御基板２３１と床暖房リモコン２５と台所リモコン２６とエアコン３は、有線で接続する他、無線で接続しても良い。
【００６５】
（３）例えば、床暖房リモコン２５に室温センサ２５５と共に湿度センサや輻射センサを設け、制御基板２３１がＷＢＧＴ指標の判定により熱中症予防を行うようにしても良い。
【００６６】
（４）例えば、夏期運転モードや床暖房システム２の自動運転モードは、使用者が任意に設定できるようにしても良い。この場合、不在時に床暖房システム２を無駄に運転する不具合を回避できる。
【００６７】
（５）例えば、台所リモコン２６は、シンクの横の他、リビング６やキッチン８などから見やすい位置に取り付けても良い。
【００６８】
（６）第１〜第３指針温度は、上記実施形態に必ずしも限定されない。
【００６９】
（７）制御基板２３１は、床暖房システム２の１年間の運転状態を記憶部２３１３に蓄積して記憶し、床暖房システム２を学習制御するようにしても良い。例えば、制御基板２３１は、床暖房運転をしているときの外気温と、床暖房運転しないときの外気温を記憶部２３１３に１年間蓄積して記憶し、次の年より、それらの学習した外気温に基づいて、冬期運転モードと夏期運転モードを自動的に切り替える基準になる「所定の閾値」を自動的に設定するようにしても良い。
【００７０】
（８）ＬＥＤランプ２５４は、赤及び緑と別の色、さらには、赤と緑に加えて他の色でも点滅できるものであっても良い。そして、例えば、冬期モードと夏期モードの通知や、熱中症の注意喚起の通知、警戒喚起の通知などについて、ＬＥＤランプの色によって区別可能に通知するようにしても良い。
【符号の説明】
【００７１】
１  熱中症予防システム
２  床暖房システム
３  エアコン（空調機の一例）
２１  床暖房パネル（放熱器の一例）
２３  熱源機
２５  床暖房リモコン
２３１  制御基板
２３３  外気温センサ
２３１４  床暖房運転プログラム（熱中症予防手段、モード切替手段、警戒喚起手段、注意喚起手段の一例）
２５５  室温センサ（室温センサの一例）
【図１】
2018071927.tif 000003
【図２】
2018071927.tif 000004
【図３】
2018071927.tif 000005
【図４】
2018071927.tif 000006
【図５】
2018071927.tif 000007
【図６】
2018071927.tif 000008